(57)【要約】【課題】商品が入れられる際、販売店舗で使用される買物かご内に全開状態で装着され、レジでの精算時に顧客が持参した買物用袋に商品を直接移しかえることができ、再度持ち帰り用の袋に移しかえる手間を省いた買物用袋を提供する。【解決手段】買物かごＡの内面に沿わせて装着しうる形状に形成された収納部２と、この収納部２から連続し、該かごＡ装着時に買物かごＡの周壁上端縁から外側に折り返される折り返し部３とを備え、折り返し部３の先端周縁に紐通し部４が設けられるとともにこの紐通し部４に袋開閉用紐５が装着されたことを特徴とする買物用袋。【選択図】　図５
2004000784.tif 000002
【特許請求の範囲】
【請求項１】
　商品が入れられる際、販売店舗で使用される買物かご内に全開状態で装着される買物用袋であって、
　　前記買物かごの内面に沿わせて装着しうる形状に形成された収納部と、この収納部から連続し、該かご装着時に買物かごの周壁上端縁から外側に折り返される折り返し部とを備え、折り返し部の先端周縁に紐通し部が設けられるとともにこの紐通し部に袋開閉用紐が装着されたことを特徴とする買物用袋。
【請求項２】
収納部が剛性を有する素材から形成され、折り返し部が柔軟性を有する素材から形成されたことを特徴とする請求項１に記載の買物用袋。
【請求項３】
商品が入れられる際、販売店舗で使用される買物かご内に全開状態で装着される買物用袋であって、
　　前記買物かごの内面に沿わせて装着しうる形状に形成された収納部と、この収納部から連続し、該かご装着時に買物かごの周壁上端縁から外側に折り返される折り返し部とを備え、収納部の４辺に対応する折り返し部はそれぞれ分離されているとともに、相対向する一組の折り返し部が延出され、これら一組の折り返し部同士が接合されて買物用袋の口を覆うことを特徴とする買物用袋。
【請求項４】
　提げ手が設けられたことを特徴とする請求項１乃至３のいずれか一つに記載の買物用袋。
【請求項５】
商品が入れられる際、販売店舗で使用される買物かご内に全開状態で装着される買物用袋であって、
　　前記買物かごの内面に沿わせて装着しうる形状に形成された収納部と、この収納部から連続し、該かご装着時に買物かごの周壁上端縁から外側に折り返される折り返し部とを備え、折り返し部の開口周縁に袋開閉用紐が挿通される紐通し部が形成され、該開口周縁の少なくとも相対向する２辺においてこの紐通し部に袋開閉用紐引き出し口が設けられ、この引き出し口から袋開閉用紐が引き出された際買物用袋の口が袋開閉用紐によって絞られるように構成されたことを特徴とする買物用袋。
【請求項６】
折り返し部の外面適所にベルトと、このベルトの先端が係止される係止部とが設けられたことを特徴とする請求項１乃至５のいずれか一つに記載の買物用袋。
【請求項７】
収納部の外面又は折り返し部の外面適所に、小さく折り畳んだ際に前記ベルトの先端と係止される折り畳み用係止部が設けられたことを特徴とする請求項６に記載の買物用袋。
【発明の詳細な説明】
【技術分野】
【０００１】
　本発明は、買物用袋に関するものであり、商品が入れられる際、販売店舗で使用される買物かご内に装着される買物用袋に関する。
【背景技術】
【０００２】
　スーパーマーケット等のショッピングセンターで買い物をする際には、顧客は、まず、店内に備えつけられた買物かごに購入したい商品を入れ、それをレジスターのある支払いカウンターに持って行く。支払いカウンターでは、レジ係がこの買物かごの中の商品をバーコードリーダを用いて代金を順次読み込ませながら別の買物かごに移しかえ、すべての商品を移しかえた後に持ち帰り用の袋をその買物かごに入れ、顧客に対して合計された代金を請求する。この代金を支払い終えた顧客は、移し替えられた買物かごを別のカウンターまで運んで、この買物かごから商品を取り出して持ち帰り用の袋に詰め、この袋を持ち帰るのが一般的である。
【発明の開示】
【発明が解決しようとする課題】
【０００３】
　しかしながら、上記した方法では、顧客が購入するため買物かごに入れた商品をレジでの精算時にレジ係が別の買物かごに移しかえ、それをさらに顧客が持ち帰り用の袋に移しかえるという再度にわたる移しかえ作業が必要とされ、面倒なものであった。
【０００４】
　また、顧客は、持ち帰った後に持ち帰り用の袋から中の商品を取り出してその後その袋は廃棄するのが通常であり、これが大量に廃棄されることとなると、ごみが増量し環境破壊にも発展する。このため昨今、スーパーマーケットでは、持ち帰り用の袋を顧客に持参するように呼びかけている。
【０００５】
　本発明は上記のような事情に鑑み創作されたものであって、代金精算時にレジ係が、顧客が持参した買物用袋に商品を直接移しかえて、顧客が移しかえ先の買物かごから持ち帰り用の袋へ商品を移しかえる手間を省き、かつ使い勝手の良い買物用袋の提供を目的とする。
【課題を解決するための手段】
【０００６】
　上記課題を解決するため、請求項１に記載の発明は、商品が入れられる際、販売店舗で使用される買物かご内に全開状態で装着される買物用袋であって、前記買物かごの内面に沿わせて装着しうる形状に形成された収納部と、この収納部から連続し、該かご装着時に買物かごの周壁上端縁から外側に折り返される折り返し部とを備え、折り返し部の先端周縁に紐通し部が設けられるとともにこの紐通し部に袋開閉用紐が装着されたことを特徴とする。
【０００７】
　この発明によれば、折り返し部の先端周縁において、買物用袋の口を絞ることができる。
【０００８】
　請求項２に記載の発明は、請求項１に記載の発明において、収納部が剛性を有する素材から形成され、折り返し部が柔軟性を有する素材から形成されたことを特徴とする。
【０００９】
　この発明によれば、折り返し部が柔軟であるため、小さな力で袋開閉用紐を引いた場合であっても折り返し部の先端周縁において、買物用袋の口を絞ることができる。
【００１０】
　請求項３に記載の発明は、商品が入れられる際、販売店舗で使用される買物かご内に全開状態で装着される買物用袋であって、前記買物かごの内面に沿わせて装着しうる形状に形成された収納部と、この収納部から連続し、該かご装着時に買物かごの周壁上端縁から外側に折り返される折り返し部とを備え、収納部の４辺に対応する折り返し部はそれぞれ分離されているとともに、相対向する一組の折り返し部が延出され、これら一組の折り返し部同士が接合されて買物用袋の口を覆うことを特徴とする。
【００１１】
　この発明によれば、相対向する一組の折り返し部により買物用袋の口を覆うことができる。
【００１２】
　請求項４に記載の発明は、請求項１乃至３のいずれか一つに記載の発明において、提げ手が設けられたことを特徴とする。
【００１３】
　この発明によれば、この提げ手を持って買物用袋を持ち運ぶことができる。
【００１４】
　請求項５に記載の発明は、商品が入れられる際、販売店舗で使用される買物かご内に全開状態で装着される買物用袋であって、前記買物かごの内面に沿わせて装着しうる形状に形成された収納部と、この収納部から連続し、該かご装着時に買物かごの周壁上端縁から外側に折り返される折り返し部とを備え、折り返し部の開口周縁に袋開閉用紐が挿通される紐通し部が形成され、該開口周縁の少なくとも相対向する２辺においてこの紐通し部に袋開閉用紐引き出し口が設けられ、この引き出し口から袋開閉用紐が引き出された際買物用袋の口が袋開閉用紐によって絞られるように構成されたことを特徴とする。
【００１５】
　この発明によれば、袋開閉用紐引き出し口から引き出された袋開閉用紐を把持して買物用袋を持ち運ぶことができ、買物用袋に商品を入れると、この商品の自重で買物用袋の口を絞ることができる。
【００１６】
　請求項６に記載の発明は、請求項１乃至５に記載の発明において、折り返し部の外面適所にベルトと、このベルトの先端が係止される係止部とが設けられたことを特徴とする。
【００１７】
　この発明によれば、ベルトの先端と折り返し部の係止部とを係止して折り返し部を所望位置で止め、上記袋開閉用紐と協動して買物用袋の口を閉じることができる。
【００１８】
　請求項７に記載の発明は、請求項６に記載の発明において、収納部の外面又は折り返し部の外面適所に、小さく折り畳んだ際に前記ベルトの先端と係止される折り畳み用係止部が設けられたことを特徴とする。
【００１９】
　この発明によれば、小さく折り畳んだ買物用袋をベルトと折り畳み用係止部で係止して折り畳んだ状態に保持することができる。
【発明の効果】
【００２０】
　上記のように構成されるので、本発明の買物用袋は、販売店舗で使用される買物かご内に該買物かごの周壁に沿わせた状態で装着することができる。したがって、レジにおける商品代金の精算時に移しかえ用の買物かごに装着することにより、移しかえ用の買物かごから、さらに持ち帰り用の袋に移す必要がなくなり、便利である。また、持ち帰り用の袋が不要になるので、ゴミ軽減にも役立ち、環境を破壊する虞が少なくなる。
【００２１】
　また、折り返し部の先端周縁に紐通し部を設け、この紐通し部に袋開閉用紐を装着した場合は、折り返し部の先端周縁において、買物用袋の口を絞ることができる。この構成において、収納部を剛性を有する素材から形成し、折り返し部を柔軟性を有する素材から形成した場合は、折り返し部が柔軟であるため、小さな力で袋開閉用紐を引いた場合であっても折り返し部の先端周縁において、買物用袋の口を絞ることができ、使い易い。
【００２２】
　また、収納部の４辺に対応する折り返し部がそれぞれ分離しているとともに、相対向する一組の折り返し部を延出し、これら一組の折り返し部同士を接合して買物用袋の口を覆う場合は、相対向する一組の折り返し部により買物用袋の口を覆うことができる。したがって、紐通し部や袋開閉用紐を設ける必要がないので、構造が簡単である。
【００２３】
　さらに、提げ手を設けているので、提げ手を持って買物用袋を持ち運ぶことができ、便利である。
【００２４】
　また、折り返し部の開口周縁に袋開閉用紐を挿通する紐通し部を形成し、該開口周縁の少なくとも相対向する２辺においてこの紐通し部に袋開閉用紐引き出し口を設け、この引き出し口から袋開閉用紐を引き出した際買物用袋の口を袋開閉用紐によって絞るように構成した場合は、この引き出された袋開閉用紐を把持して買物用袋を持ち運ぶことができ、買物用袋に商品を入れると、この商品の自重で買物用袋の口を絞ることができる。したがって、提げ手を設ける必要がないので、構造が簡単で折り畳むのも容易である。
【００２５】
　また、折り返し部にベルトとこのベルトの先端を係止する係止部とを設けているので、このベルトと係止部とを係止して買物用袋の上端が不測に開くのを防止することができ、使い勝手が良い。
【００２６】
　また、買物用袋を小さく折り畳んだ際に前記ベルトの先端と係止される折り畳み用係止部を設けているので、買物用袋を折り畳んだ状態に保持して携帯することができる。
【発明を実施するための最良の形態】
【００２７】
　以下、本発明の実施の形態について、図面を参照して説明する。
【実施例】
【００２８】
　以下、本発明の第１の実施の形態について図を参照して説明する。図１は本実施の形態にかかる買物用袋１の使用状態を示す斜視図であり、図２は本実施の形態にかかる買物用袋１を示し、図３は買物用袋１を折り畳む工程を示す。
【００２９】
　本発明に係る買物用袋１は、布又は合成樹脂製の柔軟性のある素材で形成され、上方が開口された袋状体であって、収納部２と折り返し部３と紐通し部４と袋開閉用紐５と提げ手１１とから主要部が構成される。以下、順次上記の各構成部分について説明する。
【００３０】
　収納部２は、買物かごＡの内面に沿わせて装着しうる形状に形成され、この内部に顧客が購入した商品を入れることができるものである。この買物かごＡは、スーパーマーケット等に一般に用意されている店内用の買物かごであって、長方形の底面から周壁が上方に向かって漸次拡開状に設けられ上縁に把手が起伏可能に取り付けられたものである。したがって、収納部２は、買物かごＡの底面に略一致する底面２１から周壁２２が上方に向かって漸次拡開状に設けられ、周壁２２の高さが買物かごＡ高さに略一致するものである。
【００３１】
　収納部２の長辺側側面２２ａの外面には小物収納用のポケット２３が設けられ、使い勝手の向上が図られている。
【００３２】
　折り返し部３は、収納部２に連続して設けられ、収納部２と同様に上方に向かって漸次拡開状になされたものであって、買物用袋１を買物かごＡ内に装着した際、買物かごＡの周壁上端縁から外側に折り返される部分である。
【００３３】
　折り返し部３の長辺側の一側面３２ａには、その外面に面ファスナー３ａからなる係止部３３が設けられている。また、これに対向する周壁の他側面３２ａには、この面ファスナー３ａと係止する面ファスナー３ｂを備えたベルト３１が取り付けられている。これは、買物用袋１に購入した商品を入れて持ち運ぶ際にこれらの面ファスナー３ａ，３ｂを係止させて買物用袋１の上端３２ｃが不測に開くのを防止するためのものである。
【００３４】
　また、ベルト３１が取り付けられた位置より所定長さ下方位置の収納部２の外面又は折り返し部３の外面には、ベルト３１の面ファスナー３ｂと係止される面ファスナー３ｃからなる折り畳み用係止部３４が設けられている（図２参照）。この折り畳み用係止部３４は、買物用袋１を折り畳んだときに、面ファスナー３ｂ，３ｃを係止してその状態に保持し、折り畳んだ買物用袋１を携帯できるように設けられたものである（図３参照）。
【００３５】
　なお、これらの係止手段は、上記したものに限らず、例えば互いに係合するフックを折り返し部３の外面とベルト３１にそれぞれ設けることによっても良い。
【００３６】
　紐通し部４は、買物用袋１と同素材でループ状に形成された部材が、収納部２と折り返し部３との境界線上又は該境界線の近傍もしくは折り返し部３の内側であって、買物かごＡの四隅に対応する４ヶ所にわたって、折り返し部３の内面よりも突出状に設けられたものである。紐通し部４が四隅に設けられているので、折り返し部３が折り返され易く、また、四隅が補強されるとともに折り返されたときに四隅の位置が安定する。さらに、突出状に設けられているので、紐通し部４が収納部２と折り返し部３との境界線上に設けられているときは、折り返した際、図１に示すように、紐通し部４が買物かごＡの上端縁から起立し、商品が嵩高く詰め込まれた場合であっても、商品が買物用袋１の外に零れ落ちることが防止される。
【００３７】
　上記した４つの紐通し部４のうち相互に隣接する２つの紐通し部４ａ，４ｂの１組につきそれぞれ１本の袋開閉用紐５、５が装着されている。
【００３８】
　この袋開閉用紐５は、一方の紐通し部４ａの長辺側の端部４１において固定された紐半体５ａが、紐通し部４内を挿通されて短辺側の端部４２から導出され、これと隣接する他方の紐通し部４ｂから同様に導出された紐半体５ｂとそれぞれの先端部において互いに結束されて一連の紐５が形成されたものである。袋開閉用紐５には係止具５１が備えられ、袋開閉用紐５上において係止具５１の位置を適宜スライドさせることで買物用袋１を紐通し部４において絞ることができるように図られている。この袋開閉用紐５と同様に構成された袋開閉用紐５が、対向する紐通し部４ｃ，４ｄについても同様に設けられている。
【００３９】
　なお、紐通し部４は、折り返し部３上に設けられても良い。このときには、折り返し部３の開口端縁部が邪魔にならなくなるので、買物用袋１に商品を入れて買物用袋１を買物かごＡから外した際、買物用袋１を紐通し部４において絞る作業が容易になる。
【００４０】
　提げ手１１は、本発明の買物用袋１を持ち運ぶ際の便宜のために設けられたものであって、帯状体で形成され、一対の提げ手１１、１１が、買物用袋１の長辺側の各側面にそれぞれ取り付けられている。
【００４１】
　次に上記構成の買物用袋１の使用方法を説明する。
【００４２】
　顧客は、スーパーマーケット等のショッピングセンターに買い物に行く際、折り畳んだ買物用袋１を持参する。スーパーマーケット店内では、店内に備えられた買物かごに商品を入れ、その代金を精算するために支払いカウンターに買物かごを持って行く。支払いカウンターにおいて、レジ係に移しかえ用の買物かごＡに買物用袋１を装着するように依頼し、この移しかえ用の買物かごＡ内に買物用袋１を装着し、折り返し部３を折り返す。
【００４３】
　レジ係は、バーコードリーダーを用いて順次商品の代金を読み込ませながら、買物かごから買物用袋１が装着された移しかえ用の買物かごＡに商品を移していく。
【００４４】
　精算が終了し、代金を支払った顧客は、移しかえ用の買物かごＡに装着した買物用袋１の折り返し部３を買物かごＡから外して、袋開閉用紐５上の係止具５１を紐通し部４に向けてスライドさせることにより、買物用袋１の口を紐通し部４において絞る。次いで、折り返し部３側の面ファスナー３ａとベルト３１側の面ファスナー３ｂとを係止させ、買物用袋１の上端３２ｃが不測に開くのを防止する。そして、提げ手１１をつかんで買物かごＡから買物用袋１を取り出すと、顧客は、移しかえ用の買物かごＡからさらに移しかえることなく、買物用袋１をそのまま持って帰ることができる。
【００４５】
　次に、本実施の形態にかかる買物用袋１を折り畳む手順について図３を参照しながら説明する。
【００４６】
　まず、買物用袋１が偏平状となるように畳み、提げ手１１、１１は買物用袋１に沿うように折り曲げ、ベルト３１は買物用袋１の上端３２ｃから外側に出しておく（図３（ａ）参照）。次いで、上記のように畳んだ買物用袋１を左右方向に略３等分した境界線で折り、中央部分１００の上に右部分１０１と左部分１０２とを順次重ねて折り畳む（図３（ｂ）参照）。さらに、上記のように折り畳んだ状態で上下方向に略３等分した境界線で下から順に上方向に向かって折り畳み、最後にベルト３１の面ファスナー３ｂと折り畳み用係止部３４の面ファスナー３ｃとを係止させる（図３（ｃ）参照）。以上のようにして、買物用袋１は折り畳んだ状態で保持することができる。
【００４７】
　次に本発明の第２の実施の形態について説明する。主要な構成は、上記した第１の実施の形態とほぼ同様であるので、異なる点のみ説明する。
【００４８】
　本実施の形態の買物用袋１は、図４に示すように、袋開閉用紐５は、相互に隣接する２つの紐通し部４の間において買物用袋１の外側に導出されたことを特徴とする。
【００４９】
　折り返し部３の紐通し部４ａと４ｂとの間，および４ｃと４ｄとの間には、それぞれ２ヶ所に紐通し穴４０が形成されており、この紐通し穴４０から袋開閉用紐５の紐半体５ａ，５ｂ，５ｃ，５ｄがそれぞれ買物用袋１の外側に導出されている。買物用袋１の外側において、紐半体５ａと５ｂおよび５ｃと５ｄとは、それぞれの先端部において互いに拘束され、係止具５１が備えられている。
【００５０】
　上記構成の買物用袋１の使用方法も、第１の実施の形態とほぼ同様であるが、精算が終了し、代金を支払った顧客が、移しかえ用の買物かごＡに装着した買物用袋１の折り返し部３を買物かごＡから外して、袋開閉用紐５上の係止具５１を紐通し部４に向けてスライドさせるとき、買物用かご１の外側で操作できるので、スライドが容易である。
【００５１】
　次に本発明の第３の実施の形態について説明する。主要な構成は、上記した第１の実施の形態とほぼ同様であるので、異なる点のみ説明する。
【００５２】
　本実施の形態の買物用袋１は、図５に示すように、収納部２は剛性を有する素材から形成され、折り返し部３は柔軟性を有する素材から形成されている。
【００５３】
　紐通し部４は、折り返し部３の先端周縁に設けられており、袋開閉用紐５がこの紐通し部４に装着されている。この紐通し部４は半分に分割されてその端部が開口されており、これらの開口から袋開閉用紐５がそれぞれ導出されている。
【００５４】
　なお、折り返し部３が柔軟性を有するので、紐通し部４の開口から導出された相対向する袋開閉用紐５を引くと買物用袋１の口が窄まるとともに袋開閉用紐５が紐通し部４の開口から相当長さ導出され、この導出された袋開閉用紐５を互いに結束することができるので、袋開閉用紐５に係止部材５１を設ける必要はない。
【００５５】
　上記構成の買物用袋１の使用方法も、第１の実施の形態とほぼ同様であるが、精算が終了し、代金を支払った顧客は、移しかえ用の買物かごＡに装着した買物用袋１の折り返し部３を買物かごＡから外して、紐通し部４の開口から導出された相対向する袋開閉用紐５を引いて買物用袋１の口を絞る。そして、この導出された袋開閉用紐５を互いに結束する。
【００５６】
　次に本発明の第４の実施の形態について説明する。主要な構成は、上記した第１の実施の形態とほぼ同様であるので、異なる点のみ説明する。
【００５７】
　本実施の形態の買物用袋１は、図６に示すように、収納部２の４辺に対応する折り返し部３はそれぞれ分離して形成されており、相対向する一組の折り返し部３０、３１は延出され、これら一組の折り返し部３０、３１同士が接合されて買物用袋１の口を覆うように構成されている。
【００５８】
　折り返し部３０には面ファスナー３００が取り付けられ、折り返し部３１には面ファスナー３１０が取り付けられており、これらの面ファスナー３００、３１０同士が互いに係止して折り返し部３０、３１が接合され買物用袋の口が覆われるように図られている。
【００５９】
　上記構成の買物用袋１の使用方法も、第１の実施の形態とほぼ同様であるが、精算が終了し代金を支払った顧客は、移しかえ用の買物かごＡに装着した買物用袋１の折り返し部３を買物かごＡから外して、相対向する一組の折り返し部３０、３１の面ファスナー３００、３１０を互いに係止し、折り返し部３０と３１とを接合して買物用袋１の口を覆う。
【００６０】
　なお、本実施の形態では、面ファスナー３００、３１０を係止して折り返し部３０と３１とを接合する構成なので、袋開閉用紐５及び紐通し部４を設ける必要はない。
【００６１】
　次に本発明の第５の実施の形態について説明する。主要な構成は、上記した第１の実施の形態とほぼ同様であるので、異なる点のみ説明する。
【００６２】
　本実施の形態の買物用袋１は、図７に示すように、折り返し部３の開口周縁に袋開閉用紐５が挿通される紐通し部４が形成され、該開口周縁の少なくとも相対向する２辺においてこの紐通し部４に袋開閉用紐引き出し口５０が設けられ、この引き出し口５０から袋開閉用紐５が引き出された際買物用袋１の口が袋開閉用紐５によって絞られるように構成されている。
【００６３】
　なお、本実施の形態で使用される袋開閉用紐５は、帯状体のものが望ましい。露出された袋開閉用紐５を手で持ったときに、帯状体の方が紐状体よりも買物用袋１の重力が分散され、手にかかる負担が少なくなるからである。
【００６４】
　また、袋開閉用紐５は、相対向する紐通し部４の中間部４００においてそれぞれ縫着などの手段により接着されているのが好適である。相対向する袋開閉用紐５の長さが均等になり、露出した袋開閉用紐５を把持し易いからである。さらに、上記接着は、ゴムなどの弾性部材を介在してなされると、買物用袋１の買物かごＡへの取り付け及び取り外しが容易になるので好適である。
【００６５】
　上記構成の買物用袋１の使用方法も、第１の実施の形態とほぼ同様であるが、精算が終了し、代金を支払った顧客は、移しかえ用の買物かごＡに装着した買物用袋１の折り返し部３を買物かごＡから外して、袋開閉用紐引き出し口５０から引き出された袋開閉用紐５を手で持つと、商品の入った買物用袋１の自重で買物用袋１の口を絞ることができる。なお、本実施の形態では、袋開閉用紐５を把持して買物用袋１を持ち運ぶことができるので、提げ手１１を設ける必要はない。
【産業上の利用可能性】
【００６６】
　本発明の買物用袋は、スーパーマーケット等、買物かごを使用して好みの商品を収集し、その後精算所で全商品の代金を一括して精算する店舗での買物に活用できる。
【図面の簡単な説明】
【００６７】
【図１】本発明の第１の実施の形態において買物かごに装着した買物用袋を示す斜視図である。
【図２】本発明の第１の実施の形態の買物用袋を示す斜視図である。
【図３】本発明の買物用袋を折り畳む工程を示す図である。
【図４】本発明の第２の実施の形態の買物用袋を示す斜視図である。
【図５】本発明の第３の実施の形態の買物用袋を示す斜視図である。
【図６】本発明の第４の実施の形態の買物用袋を示す斜視図である。
【図７】本発明の第５の実施の形態の買物用袋を示す斜視図である。
【符号の説明】
【００６８】
１　　　買物用袋
１１　　提げ手
２　　　収納部
３　　　折り返し部
３１　　ベルト
３３　　係止部
３４　　折り畳み用係止部
４　　　紐通し部
５　　　袋開閉用紐
５０　　袋開閉用紐引き出し口
Ａ　　　買物かご
【図１】
2004000784.tif 000003
【図２】
2004000784.tif 000004
【図３】
2004000784.tif 000005
【図４】
2004000784.tif 000006
【図５】
2004000784.tif 000007
【図６】
2004000784.tif 000008
【図７】
2004000784.tif 000009